(57)【要約】【課題】  コリメータレンズなどの光学素子を保持する保持具の高さ方向の寸法を小さくする。【解決手段】  長手方向および短手方向を有する略板状の光学素子を保持する光学素子保持具であって、前記光学素子の外周部を保持する保持枠と、前記光学素子保持具の短手方向の一方側に形成された第１壁部と、を有し、前記保持枠は、前記光学素子保持具の短手方向の前記一方側に、周方向の一部が欠落した欠落部を有し、前記光学素子の外周の一部が前記第１壁部に当接しつつ、前記光学素子が前記欠落部から突出しないように、前記光学素子の短手方向が前記光学素子保持具の短手方向に対して僅かに傾斜した状態で、前記光学素子を保持する。【選択図】  図５
2014059937.tif 000002
【特許請求の範囲】
【請求項１】
長手方向および短手方向を有する略板状の光学素子を保持する光学素子保持具であって、
前記光学素子の外周部を保持する保持枠と、
前記光学素子保持具の短手方向の一方側に形成された第１壁部と、
を有し、
前記保持枠は、
前記光学素子保持具の短手方向の前記一方側に、周方向の一部が欠落した欠落部を有し、
前記光学素子の外周の一部が前記第１壁部に当接しつつ、前記光学素子が前記欠落部から突出しないように、前記光学素子の短手方向が前記光学素子保持具の短手方向に対して僅かに傾斜した状態で、前記光学素子を保持することを特徴とする光学素子保持具。
【請求項２】
請求項１に記載の光学素子保持具であって、
前記保持枠の内周面には、前記光学素子を前記光学素子保持具に対する傾斜方向と反対方向に押圧し、前記光学素子の外周の一部を前記第１壁部に押圧するリブが形成されていることを特徴とする光学素子保持具。
【請求項３】
請求項１または請求項２に記載の光学素子保持具であって、
前記光学素子保持具の短手方向の他方側に形成された第２壁部をさらに有し、
前記光学素子は、前記保持枠に保持された状態で、中心に対して略点対称の位置にある外周の一部がそれぞれ前記第１壁部および前記第２壁部に当接することを特徴とする光学素子保持具。
【請求項４】
請求項３に記載の光学素子保持具であって、
前記第１壁部および前記第２壁部は、前記光学素子を前記保持枠に固定するための接着剤を溜める接着剤溜まりを形成することを特徴とする光学素子保持具。
【請求項５】
請求項１ないし請求項４の何れかに記載の光学素子保持具と、
前記光学素子を通過する光軸方向に前記光学素子保持具を移動させる移動機構と、
を備えることを特徴とする光学素子移動装置。
【請求項６】
請求項５に記載の光学素子移動装置と、
レーザ光を出射するレーザ光源と、
前記レーザ光源から出射されたレーザ光を光ディスク上に集光する対物レンズと、
前記光ディスクで反射されたレーザ光を検出する光検出器と、
を備え、
前記光学素子は、コリメータレンズであり、
前記移動機構は、前記コリメータレンズを通過するレーザ光の光軸方向に前記光学素子保持具を移動させることを特徴とする光ピックアップ装置。
【発明の詳細な説明】
【技術分野】
【０００１】
本発明は、光学素子保持具、光学素子移動装置、および光ピックアップ装置に関する。
【背景技術】
【０００２】
近年、光ディスクに対して信号の記録や再生を行う光ピックアップ装置には、規格が異なる複数の光ディスクや、複数の記録層を有する光ディスクに対応可能なものもある。このような光ピックアップ装置では、光ディスクの規格ごと、または光ディスクの記録層ごとの保護層（カバー層）の厚さの違いによる球面収差を補正するため、コリメータレンズを光軸方向に移動させる移動機構が設けられている。また、このような球面収差補正機構は、同一規格の１層ディスクに対しても、ディスクごとの保護層の厚さのばらつきによる球面収差を補正するため、広く用いられている。
【０００３】
例えば、特許文献１では、ステッピングモータによって回転するリードスクリュー（送りねじ）と、リードスクリューに螺合するスクリューナットとを用いて、コリメータレンズが取り付けられたレンズホルダを光軸方向に移動させるレンズ駆動装置が開示されている。また、例えば、特許文献２では、ステッピングモータによって回転する送りねじと、送りねじの回転力をレンズホルダに伝えるねじりコイルばねとを用いて、レンズホルダに搭載されたコリメータレンズを光軸方向に移動させる球面収差補正機構が開示されている。
【先行技術文献】
【特許文献】
【０００４】
【特許文献１】特開２００９−８０９２１号公報
【特許文献２】特開２０１０−１６５４４５号公報
【発明の概要】
【発明が解決しようとする課題】
【０００５】
ところで、上記のような光ピックアップ装置を備える光ディスク装置は、例えばノート型パーソナルコンピュータなどに搭載される。そして、近年、光ディスク装置を搭載しつつ薄型化を図ったノート型パーソナルコンピュータが普及しており、光ディスク装置やそれに用いられる光ピックアップ装置の薄型化も求められている。そのため、コリメータレンズなどの光学素子を保持する保持具（ホルダ）の高さ方向の寸法を小さくする必要があり、上記の球面収差補正機構のように、光学素子を光軸方向に移動させる移動装置では、特にその必要性が高い。
【課題を解決するための手段】
【０００６】
前述した課題を解決する主たる本発明は、長手方向および短手方向を有する略板状の光学素子を保持する光学素子保持具であって、前記光学素子の外周部を保持する保持枠と、前記光学素子保持具の短手方向の一方側に形成された第１壁部と、を有し、前記保持枠は、前記光学素子保持具の短手方向の前記一方側に、周方向の一部が欠落した欠落部を有し、前記光学素子の外周の一部が前記第１壁部に当接しつつ、前記光学素子が前記欠落部から突出しないように、前記光学素子の短手方向が前記光学素子保持具の短手方向に対して僅かに傾斜した状態で、前記光学素子を保持することを特徴とする光学素子保持具である。
【０００７】
本発明の他の特徴については、添付図面及び本明細書の記載により明らかとなる。
【発明の効果】
【０００８】
本発明によれば、コリメータレンズなどの光学素子を保持する保持具の高さ方向の寸法を小さくすることができる。
【図面の簡単な説明】
【０００９】
【図１】本発明の一実施形態における光学素子移動装置を備えた光ピックアップ装置の構成を示す斜視図である。
【図２】本発明の第１および第２実施形態におけるレンズ保持装置を備えた光学素子移動装置の構成を示す斜視図である。
【図３】本発明の第１実施形態におけるレンズ保持装置の構成を示す正面図である。
【図４】本発明の第２実施形態において、コリメータレンズを取り付けた状態のレンズ保持装置の構成を示す正面図である。
【図５】本発明の第２実施形態において、コリメータレンズを取り外した状態のレンズ保持装置の構成を示す正面図である。
【図６】本発明の第１および第２実施形態におけるレンズ保持装置の高さを比較する図である。
【図７】コリメータレンズとともに１／４波長板を保持するレンズ保持装置の構成を示す背面図である。
【発明を実施するための形態】
【００１０】
本明細書および添付図面の記載により、少なくとも以下の事項が明らかとなる。
【００１１】
＝＝＝光ピックアップ装置の構成および動作＝＝＝
以下、図１を参照して、後述する本発明の一実施形態における光学素子移動装置を備えた光ピックアップ装置の構成および動作について説明する。
【００１２】
図１に示されている光ピックアップ装置は、レーザ光源１、回折格子２、折り曲げミラー３、５、６、ハーフミラー４、立ち上げミラー７、収差補正板８、光検出器９、レンズ保持装置１０、コリメータレンズ（光学素子）２０、ステッピングモータ５１、送り軸５２、およびガイド軸５３、５４を含んで構成されている。
【００１３】
レーザダイオードなどのレーザ光源１は、レーザ光を出射し、当該出射されたレーザ光は、回折格子２によってメインビーム（０次回折光）およびサブビーム（例えば±１次回折光）に分割される。また、回折格子２を通過したレーザ光（メインビームおよびサブビーム）は、折り曲げミラー３で反射され、ハーフミラー４に入射する。
【００１４】
ハーフミラー４は、レーザ光源１から出射されて回折格子２および折り曲げミラー３を介して入射した往路のレーザ光を反射し、当該反射されたレーザ光は、折り曲げミラー５でさらに反射される。また、折り曲げミラー５で反射されたレーザ光は、コリメータレンズ２０によって平行光に変換されたうえで、折り曲げミラー６でさらに反射され、立ち上げミラー７に入射する。なお、レンズ保持装置１０、ステッピングモータ５１、送り軸５２、およびガイド軸５３、５４は、コリメータレンズ２０を光軸方向に移動させる光学素子移動装置を構成し、当該光学素子移動装置についての詳細な説明は後述する。
【００１５】
立ち上げミラー７は、折り曲げミラー６を介して入射した往路のレーザ光を垂直方向（光ディスクの記録面に略垂直な方向）に反射し、当該反射されたレーザ光は、対物レンズ（不図示）を介して光ディスク（の記録層）上に集光される。一方、光ディスクで反射されたレーザ光は、対物レンズを介して立ち上げミラー７に入射する。そして、立ち上げミラー７は、光ディスクで反射されて対物レンズを介して入射した復路のレーザ光を水平方向（光ディスクの記録面に略平行な方向）に反射し、当該反射されたレーザ光は、折り曲げミラー６でさらに反射される。
【００１６】
折り曲げミラー６で反射されたレーザ光は、コリメータレンズ２０によって収束光に変換されたうえで、折り曲げミラー５でさらに反射され、ハーフミラー４に入射する。また、ハーフミラー４は、折り曲げミラー５を介して入射した復路のレーザ光を透過させ、当該透過したレーザ光は、収差補正板８によってサーボ機構のための収差が付与されたうえで、光検出器９に入射する。そして、フォトダイオードなどの光検出器９は、収差補正板８を介して入射した復路のレーザ光を検出する。
【００１７】
＝＝＝光学素子移動装置の構成および動作＝＝＝
以下、図２を参照して、後述する本発明の第１および第２実施形態におけるレンズ保持装置を備えた光学素子移動装置の構成および動作について説明する。
【００１８】
図２に示されている光学素子移動装置は、コリメータレンズ２０を光軸方向に移動させる装置であり、レンズ保持装置１０、線材４０、ステッピングモータ５１、送り軸５２、およびガイド軸５３、５４を含んで構成されている。なお、送り軸５２、およびガイド軸５３、５４は、図１における折り曲げミラー５および６間を通過するレーザ光の光軸と平行に配置されている。
【００１９】
送り軸５２は、ステッピングモータ５１のロータ（回転子）に固定され、ステッピングモータ５１によって時計回りまたは反時計回りに回転する。また、送り軸５２には、螺旋状のねじ溝が形成されている。
【００２０】
レンズ保持装置１０は、コリメータレンズ２０を保持している。また、レンズ保持装置１０は、ガイド軸５３が挿通される孔（後述する孔部）と、ガイド軸５４に係合する切り欠き（後述するガイド部）とを有している。さらに、レンズ保持装置１０は、コイル状に巻かれた線材４０を固定する円筒状の突起（後述する線材固定部）を有し、線材４０は、その一部が送り軸５２のねじ溝に接触するように付勢されている。これにより、送り軸５２の回転力が線材４０を介してレンズ保持装置１０に伝達され、レンズ保持装置１０は、コリメータレンズ２０を保持した状態で、送り軸５２の回転方向に応じて光軸方向に前進（図１において折り曲げミラー６の方向に移動）または後退（図１において折り曲げミラー５の方向に移動）する。
【００２１】
＜第１実施形態＞
＝＝＝レンズ保持装置の構成および作用＝＝＝
以下、図３を参照して、本発明の第１実施形態におけるレンズ保持装置の構成および作用について説明する。ここで、図３は、レンズ保持装置１０ａを図１における折り曲げミラー６側から見た正面図である。
【００２２】
図３に示されているレンズ保持装置１０ａは、コリメータレンズ２０を保持する装置であり、レンズ固定部（光学素子保持具）１１ａ、線材固定部１２、挿通部１３、およびガイド部１４を含んで構成されている。また、コリメータレンズ２０は、長手方向（図３において左右方向）および短手方向（図３において上下方向）を有し、外周の少なくとも長手方向の一方側（図３において左側）に円弧状部分を有する、平面視略長方形または略楕円形の略板状に形成されている。
【００２３】
レンズ固定部１１ａは、レンズ受け部１１１、保持枠１１２、接着用リブ１１３、１１４、および壁部１１５を含んで構成されている。
【００２４】
保持枠１１２は、レンズ固定部１１ａの本体を構成し、コリメータレンズ２０の外周部を保持する。また、保持枠１１２の内側には、レンズ受け部１１１が形成されている。そして、レンズ受け部１１１は、レーザ光がコリメータレンズ２０を通過するための開口部１１１ａを有し、コリメータレンズ２０の背面側（図１において折り曲げミラー５側）を保持する。これにより、コリメータレンズ２０は、レンズ受け部１１１および保持枠１１２で形成された凹部によって安定して保持される。
【００２５】
接着用リブ１１３、１１４、および壁部１１５は、コリメータレンズ２０の外周（の一部）が当接するように、保持枠１１２の正面側（図１において折り曲げミラー６側）に形成されている。また、接着用リブ１１３および１１４は、レンズ固定部１１ａの短手方向の一方側（図３において上側）に形成され、接着用リブ１１３および１１４のコリメータレンズ２０との当接面には、接着剤が塗布される。一方、壁部１１５は、レンズ固定部１１ａの短手方向の他方側（図３において下側）において接着剤を溜める接着剤溜まり１１５ａを形成し、当該接着剤溜まり１１５ａには、接着剤が充填される。これにより、コリメータレンズ２０は、保持枠１１２に固定される。
【００２６】
このようにして、レンズ固定部１１ａによってコリメータレンズ２０が保持される。なお、本実施形態では、コリメータレンズ２０（およびコリメータレンズ２０の外周部を保持する保持枠１１２）の形状を平面視略長方形または略楕円形とし、短手方向の両側に接着用リブ１１３および１１４と、接着剤溜まり１１５ａとを配置することによって、レンズ固定部１１ａの高さ方向（短手方向）の寸法を小さくしている。
【００２７】
レンズ固定部１１ａの左側（図２においてガイド軸５３側）には、挿通部１３が設けられ、挿通部１３には、ガイド軸５３が挿通される孔部１３１が形成されている。また、挿通部１３のさらに左側（図２において送り軸５２側）には、線材４０を固定する線材固定部１２が設けられている。一方、レンズ固定部１１ａの右側（図２においてガイド軸５４側）には、ガイド部１４が設けられ、ガイド部１４は、ガイド軸５４に係合する切り欠き状に形成されている。そして、線材固定部１２、挿通部１３、およびガイド部１４は、図２に示した線材４０、ステッピングモータ５１、送り軸５２、およびガイド軸５３、５４とともに、レンズ固定部１１ａに保持されたコリメータレンズ２０を光軸方向に移動させる移動機構を構成する。
【００２８】
なお、線材固定部１２、挿通部１３、およびガイド部１４の構成や、レンズ固定部１１ａに対する位置関係は、光学素子移動装置の構成に応じて適宜変更され得る。例えば、光学素子移動装置の移動機構を、特許文献１のレンズ駆動装置と同様に、リードスクリューとスクリューナットとを用いる構成とした場合には、線材固定部１２に代えて、スクリューナットを保持するナット保持部（特許文献１においては連結部材）が設けられる。また、例えば、図２に示した光学素子移動装置において、送り軸５２を挟んでガイド軸５３とは反対側にガイド軸５４を設けた場合には、レンズ固定部１１ａから順次左側に向かって挿通部１３、線材固定部１２、ガイド部１４が設けられる。
【００２９】
＜第２実施形態＞
＝＝＝レンズ保持装置の構成および作用＝＝＝
以下、図４および図５を参照して、本発明の第２実施形態におけるレンズ保持装置の構成および作用について説明する。ここで、図４および図５は、レンズ保持装置１０ｂを図１における折り曲げミラー６側から見た正面図である。また、図４は、レンズ保持装置１０ｂにコリメータレンズ２０を取り付けた状態を示し、図５は、レンズ保持装置１０ｂからコリメータレンズ２０を取り外した状態を示している。
【００３０】
図４に示されているレンズ保持装置１０ｂは、コリメータレンズ２０を保持する装置であり、レンズ固定部（光学素子保持具）１１ｂ、線材固定部１２、挿通部１３、およびガイド部１４を含んで構成されている。なお、本実施形態におけるレンズ保持装置１０ｂの構成は、レンズ固定部１１ｂの構成を除いて、第１実施形態のレンズ保持装置１０ａの構成と同様である。また、本実施形態におけるコリメータレンズ２０の形状は、第１実施形態におけるコリメータレンズ２０の形状と同様である。
【００３１】
レンズ固定部１１ｂは、レンズ受け部１１１、保持枠１１２、（第１）壁部１１６、および（第２）壁部１１７を含んで構成されている。
【００３２】
保持枠１１２は、レンズ固定部１１ｂの本体を構成し、コリメータレンズ２０の外周部を保持する。また、保持枠１１２の内側には、レンズ受け部１１１が形成されている。そして、レンズ受け部１１１は、レーザ光がコリメータレンズ２０を通過するための開口部１１１ａを有し、コリメータレンズ２０の背面側を保持する。これにより、コリメータレンズ２０は、レンズ受け部１１１および保持枠１１２で形成された凹部によって安定して保持される。
【００３３】
壁部１１６および１１７は、中心に対して略点対称の位置にあるコリメータレンズ２０の外周（の一部）がそれぞれ当接するように、保持枠１１２の正面側に形成されている。また、壁部１１６および１１７は、それぞれレンズ固定部１１ｂの短手方向の一方側（図４において上側）および他方側（図４において下側）において接着剤を溜める接着剤溜まり１１６ａおよび１１７ａを形成し、これらの接着剤溜まりには、接着剤が充填される。これにより、コリメータレンズ２０は、保持枠１１２に固定される。
【００３４】
このようにして、レンズ固定部１１ｂによってコリメータレンズ２０が保持される。なお、本実施形態では、図５に示すように、保持枠１１２は、レンズ固定部１１ｂの短手方向の一方側（図５において上側）に、周方向の一部が欠落した欠落部１１２ａを有し、コリメータレンズ２０の短手方向（長手方向）がレンズ固定部１１ｂの短手方向（長手方向）に対して反時計回りに僅かに傾斜した状態で、コリメータレンズ２０を保持する。これにより、図６に示すように、本実施形態のレンズ保持装置１０ｂでは、第１実施形態のレンズ保持装置１０ａと比べて、保持枠１１２の上側の部分がない分、レンズ固定部の高さ方向（短手方向）の寸法をより小さくしている。
【００３５】
また、本実施形態では、保持枠１１２は、レンズ固定部１１ｂの短手方向の他方側（図５において下側）の内周面に形成された押圧用リブ１１２ｄを有している。当該押圧用リブ１１２ｄによって、コリメータレンズ２０は、レンズ固定部１１ｂに対する傾斜方向と反対方向（時計回り）に押圧され、外周（の一部）が壁部１１６に押圧されて、保持枠１１２の欠落部１１２ａから突出しないようになっている。
【００３６】
また、本実施形態では、略点対称の位置にある接着剤溜まり１１６ａおよび１１７ａを用いて、コリメータレンズ２０を保持枠１１２に固定している。これにより、接着用リブ１１３および１１４を併用する第１実施形態のレンズ保持装置１０ａと比べて、より安定した接着を確保することができ、コリメータレンズ２０を保持枠１１２に確実に固定することができる。
【００３７】
また、本実施形態では、保持枠１１２の内周面には、コリメータレンズ２０の外周の円弧状部分が当接する平面状の当接面１１２ｂおよび１１２ｃと、当該円弧状部分を当接面１１２ｂおよび１１２ｃに押圧する押圧用リブ１１２ｅおよび１１２ｆとが形成されている。これにより、接着剤溜まり１１６ａおよび１１７ａに接着剤を充填する前であっても、コリメータレンズ２０が保持枠１１２内で位置ずれ（回転など）するのを防止し、コリメータレンズ２０の保持枠１１２への固定がしやすくなる。なお、コリメータレンズ２０の位置ずれを防止するため、コリメータレンズ２０の外周の円弧状部分を複数（２つ以上）の平面状の当接面に押圧する必要がある一方、当該押圧する押圧用リブは、１つであってもよい。
【００３８】
前述したように、コリメータレンズ（光学素子）２０を保持するレンズ固定部（光学素子保持具）１１ａおよび１１ｂにおいて、コリメータレンズ２０の形状を、長手方向および短手方向を有する平面視略長方形または略楕円形とし、当該形状のコリメータレンズ２０の外周部を保持枠１１２に保持することによって、高さ方向（短手方向）の寸法を小さくすることができる。
【００３９】
さらに、レンズ固定部１１ｂにおいて、上側（短手方向の一方側）に壁部１１６を形成し、保持枠１１２の上側に欠落部１１２ａを設け、コリメータレンズ２０の外周（の一部）が壁部１１６に当接しつつ、コリメータレンズ２０の短手方向がレンズ固定部１１ｂの短手方向に対して反時計回りに僅かに傾斜した状態で、コリメータレンズ２０の外周部を保持枠１１２に保持することによって、保持枠１１２の上側の部分がない分、レンズ固定部１１ａよりも高さ方向の寸法を小さくすることができる。
【００４０】
なお、レンズ固定部１１ａにおいては、高さ方向の寸法を小さくするため、保持枠１１２の上側の部分を薄くすることもできるが、薄くし過ぎると保持枠１１２の成形ができなくなる。一方、レンズ固定部１１ｂにおいては、保持枠１１２の上側の部分が欠落しているため、このような成形上の制約はない。
【００４１】
また、レンズ固定部１１ｂにおいて、保持枠１１２の下側（レンズ固定部１１ｂの短手方向の他方側）の内周面に押圧用リブ１１２ｄを形成し、当該押圧用リブ１１２ｄによって、コリメータレンズ２０を時計回り（レンズ固定部１１ｂに対する傾斜方向と反対方向）に押圧し、コリメータレンズ２０の外周（の一部）を壁部１１６に押圧することによって、コリメータレンズ２０が保持枠１１２の欠落部１１２ａから突出しないようにすることができる。
【００４２】
また、レンズ固定部１１ｂにおいて、壁部１１６および１１７を、中心に対して略点対称の位置にあるコリメータレンズ２０の外周（の一部）がそれぞれ当接するように配置することによって、保持枠１１２とともに、当該壁部１１６および１１７によってコリメータレンズ２０の外周部を安定して保持することができる。
【００４３】
また、レンズ固定部１１ｂにおいて、壁部１１６および１１７でそれぞれ接着剤溜まり１１６ａおよび１１７ａを形成することによって、これらの接着剤溜まりに接着剤を充填して、コリメータレンズ２０を保持枠１１２に確実に固定することができる。
【００４４】
また、図２に示した光学素子移動装置において、移動機構によってレンズ固定部１１（１１ａ、１１ｂ）を移動させ、レンズ固定部１１に保持されたコリメータレンズ２０を光軸方向に移動させることによって、レンズ固定部１１が移動する領域の高さ方向の寸法を小さくすることができるため、薄型化が求められる光学機器に用いることができる。
【００４５】
また、図１に示した光ピックアップ装置において、レンズ固定部１１に保持されたコリメータレンズ２０を光軸方向に移動させる光学素子移動装置を用いることによって、光ピックアップ装置を薄型化し、当該光ピックアップ装置を備える光ディスク装置や、さらに光ディスク装置が搭載されるノート型パーソナルコンピュータなどの薄型化を図ることができる。
【００４６】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【００４７】
上記実施形態では、特にコリメータレンズ２０を保持するレンズ固定部１１（１１ａ、１１ｂ）について説明したが、これに限定されるものではない。レンズ固定部１１は、例えば図７に示すように、コリメータレンズとともに、１／４波長板３０など、他の光学素子を背面側に保持する構成としてもよい。また、図３ないし図５に示したレンズ固定部１１のような構成は、長手方向および短手方向を有する略板状の光学素子を保持する光学素子保持具に広く用いることができる。
【符号の説明】
【００４８】
１          レーザ光源
２          回折格子
３、５、６  折り曲げミラー
４          ハーフミラー
７          立ち上げミラー
８          収差補正板
９          光検出器
１０（１０ａ、１０ｂ）  レンズ保持装置
１１（１１ａ、１１ｂ）  レンズ固定部（光学素子保持具）
１２        線材固定部
１３        挿通部
１４        ガイド部
２０        コリメータレンズ（光学素子）
３０        １／４波長板
４０        線材
５１        ステッピングモータ
５２        送り軸
５３、５４  ガイド軸
１１１      レンズ受け部
１１１ａ    開口部
１１２      保持枠（内周面）
１１２ａ    欠落部
１１２ｂ、１１２ｃ  当接面
１１２ｄ〜１１２ｆ  押圧用リブ
１１３、１１４  接着用リブ
１１５〜１１７  壁部
１１５ａ〜１１７ａ  接着剤溜まり
１３１      孔部
【図１】
2014059937.tif 000003
【図２】
2014059937.tif 000004
【図３】
2014059937.tif 000005
【図４】
2014059937.tif 000006
【図５】
2014059937.tif 000007
【図６】
2014059937.tif 000008
【図７】
2014059937.tif 000009